(57)【要約】【課題】  詰め替え用の液体スタンドパックから内部の液体を別の容器に詰め替えないで、液体パックから直接に内部の液体を注出し、又は噴霧することを可能とする。【解決手段】  液体スタンドパックＰを天地逆に液体パック容器に保持可能となるように、液体パック容器に下方の距離が狭く形成される向かい合う斜め壁１０，１１を備えさせ、略Ｖ字状の収容空間を形成する。また、傾斜壁の傾斜角度を可変とし、液体パックを側方から押圧可能とし液体パックの底面が弛まないようにする。更に、液体パック底面の上方から、平刃７１を出没可能に鞘体に収納している切開手段７０により、液体パック底面にポンプ付注出具の吸い上げ管５２の差込穴を形成させる。切開手段は、パック底面を切開する時以外は、ロック手段により鞘体内から突出しないので安全である。【選択図】図６
2010275003.tif 000002
【特許請求の範囲】
【請求項１】
詰め替え用液体パックを収容する液体パック容器であって、
前記容器をなす筐体内の液体パック収容部において、前記液体パックが底面を略平坦な状態で天地逆に保持されるように、前記筐体が備える向かい合う壁の少なくともいずれかが傾斜壁とされ、前記収容部の下方の幅が狭く形成されている、
ことを特徴とする液体パック容器。
【請求項２】
前記傾斜壁のいずれかの傾斜壁の上辺又は該傾斜壁の下辺の少なくとも一方が、前記筐体に形成されている固定軸に回動可能に軸支され、前記向かい合う傾斜壁がなす傾斜角度が可変とされている、
ことを特徴とする請求項１に記載の液体パック容器。
【請求項３】
液体パック容器は、液体パック内の液体を注出する注出具の下方に付設された吸い上げ管を差し込む差込穴を前記液体パック底面に切開する切開手段を備え、
該切開手段が、鞘体に出没可能に収納されている切開部材を含んでいる、
ことを特徴とする請求項１又は請求項２に記載の液体パック容器。
【請求項４】
前記切開手段は、切開部材を鞘体内に引き戻す弾性部材を備えた引き戻し手段を含み、
前記切開部材により液体パック底面に差込穴が切開された後は、前記引き戻し手段が前記弾性部材の弾発力により前記切開部材を前記鞘体内に引き戻す、
ことを特徴とする請求項３に記載の液体パック容器。
【請求項５】
前記容器は、上部が開放された本体部と、該本体部上方を覆う蓋部とからなり、
前記切開手段が本体部又は蓋部のいずれかに形成されている、
ことを特徴とする請求項３又は請求項４に記載の液体パック容器。
【請求項６】
前記切開手段は、
前記容器に前記吸い上げ管が装着された状態では、切開部材が鞘体から突出しないようにロックされる第１ロック手段を備えている、
ことを特徴とする請求項３乃至請求項５のいずれか１項に記載の液体パック容器。
【請求項７】
前記切開手段は、
前記蓋部が前記本体部から離間された状態では、切開部材が鞘体から突出しないようにロックされる第２ロック手段を備えている、
ことを特徴とする請求項５又は請求項６に記載の液体パック容器。
【請求項８】
前記切開部材は、
先端鋭利な平刃である、
ことを特徴とする請求項３乃至請求項７のいずれか１項に記載の液体パック容器。
【請求項９】
液体注出器であって、
請求項１乃至請求項８のいずれか1項に記載の前記液体パック容器と、液体パックの液体を吸い上げる吸い上げ管を備えた注出具とからなる、
ことを特徴とする液体注出器。
【請求項１０】
前記液体注出器であって、
前記吸い上げ管によって挿嵌される覆設部材を備え、
該覆設部材は、下部に柔軟な発泡弾性体が貼着され、周囲壁が蛇腹状に形成されて略ドーム形状をなし、該液体パックの前記差込穴と吸い上げ管との隙間を覆う、
ことを特徴とする請求項９に記載の液体注出器。
【発明の詳細な説明】
【技術分野】
【０００１】
本発明は、詰め替え用液体パックに吸い込み管を備えた注出具を装着させて内部の液体を注出可能にする液体パック容器及び液体注出器に関する。
【背景技術】
【０００２】
資源の有効利用が求められる環境下において、シャンプー液、液体調味料液等の家庭内の液体や、病院の滅菌・消毒用のアルコール液等のフィルム製詰め替えパック内の液体が、再利用可能な容器に詰め替えられ、容器の再利用が図られている。このようなニーズに応じ、パック側で対応する技術として、詰め替えパックの上隅部に摘み切除部分を形成したパック、詰め替えパック注出口に取り外し容易な螺子キャップを形成したパックなどがある。また、下部にヒートシール部と弱接着部を形成し、詰め替えを容易にしたパックの技術（特開平１０-００７１５５号公報）も開発されている。
【０００３】
更に、液体パック収容体とシャンプー用具を組み合わせて対応する技術として、特開平１１−２４５９５８号公報には、底部及び側部を合成樹脂板で囲み、容器上部に形成される螺筒に、ポンプと密嵌部を設けた液体パック収容体を装着させるヘアシャンプー用具が、また特開２００８-０５００５８号公報には、シール材が付設された開口を備えた液体パック収容体に、該シール材を突き破る突き刺し管を備えた容器蓋をかぶせ、液体パック収容体内の液体を注出可能とする液体注出容器の技術が提案されている。
【０００４】
しかし、パックの上隅部の摘み切除部分を除去する技術の場合には、浴室内で指先がシャンプー液で濡れている状態では切除部分が摘み切れず、また螺子付キャップが形成されたパックの場合にも高齢者では螺子付キャップを扱いにくい、という課題があった。また、密嵌部を設けた液体パック収容体やシール付の開口部を形成した液体パック収容体等の場合は、消費者の嗜好により異なるパック形状のシャンプー等に取り替える場合には、前記ヘアシャンプー用具や前記容器蓋が使えなくなるという課題があった。
【先行技術文献】
【特許文献】
【０００５】
特開平１１−２４５９５８号公報
特開２００８-０５００５８号公報
【発明の概要】
【発明が解決しようとする課題】
【０００６】
本発明が解決しようとする課題は、市場に流通しているシャンプー液、リンス液、洗濯用柔軟剤、飲料水、ジュース、消毒液、液体調味料等の様々な種類の詰め替え用の液体スタンドパックを収容し、内部の液体を詰め替えないで、液体パックから容易且つ安全に内部の液体を注出し、又は噴霧することを可能とする液体パック容器及び液体注出器を提供することである。
【課題を解決するための手段】
【０００７】
本発明の第１の発明は、詰め替え用液体パックを収容する液体パック容器であって、前記容器をなす筐体内の液体パック収容部において、前記液体パックが底面を略平坦な状態で天地逆に保持されるように、前記筐体が備える向かい合う壁の少なくともいずれかが傾斜壁とされ、前記収容部の下方の幅が狭く形成されていることを特徴としている。
【０００８】
収容空間の下方の幅が狭くなるように、向かい合う壁を傾斜させ、収容空間の断面形状を略Ｖ字形状としたので、液体パックが天地逆に安定して保持される。これにより、上方に位置される液体パックの底面が萎むことなく、切開手段により前記吸込み管の差込口を切開することが容易となり、下方に位置される液体パックの先端部は狭まった状態に維持されるため、パック前記先端部に溜まっている液体を前記吸い上げ管により残すことなく吸い上げることができる。
【０００９】
更に、第２発明では、第１の発明の液体パック容器において、前記傾斜壁のいずれかの傾斜壁の上辺又は該傾斜壁の下辺の少なくとも一方が、前記筐体に形成されている固定軸に回動可能に軸支され、前記向かい合う傾斜壁がなす傾斜角度が可変とされていることを特徴としている。向かい合う傾斜壁がなす傾斜角度が可変とされていることにより、収容量が異なる液体パックに適用できる。また、前記差込穴を切開する際に、傾斜壁の角度を変え液体パックを押圧することにより、液体パックの底面に適度な張りを持たせ、切開手段の切開部材が底面を滑ることなく、底面をなすフィルムに差込穴を切開することが容易となる。
【００１０】
また、第３の発明では、第１又は第２の発明の液体パック容器は、液体パック内の液体を注出する注出具の下方に付設された吸い上げ管を差し込む差込穴を前記液体パック底面に切開する切開手段を備え、該切開手段が、鞘体に出没可能に収納されている切開部材を含んでいることを特徴としている。
液体パック容器には切開手段が含まれているので、液体パックに前記差込穴を開けるためハサミやカッターを別に準備する必要がない。また、前記切開手段は、切開部材が鞘体に出没可能に収納されているので、切開操作をする時以外は切開部材を露出させることなく使用者の安全が保たれる。
【００１１】
また、第４の発明では、第３の発明の液体パック容器において、前記切開手段は、切開部材を鞘体内に引き戻す弾性部材を備えた引き戻し手段を含み、前記切開部材により液体パック底面に差込穴が切開された後は、前記引き戻し手段が前記弾性部材の弾発力により前記切開部材を前記鞘体内に引き戻すことを特徴としている。液体パックの差し込み穴を形成後は、液体パックの差込穴の位置から切開部材が退避し、鞘体内に引き戻されるため、液体パックに吸い上げ管を差し込む際に、切開部材が邪魔にならず、吸い上げ管をスムーズに差し込むことが可能である。
【００１２】
更に、第５の発明では、第３又は第４の発明の液体パック容器において、前記容器は、上部が開放された本体部と、該本体部上方を覆う蓋部とからなり、前記切開手段が本体部又は蓋部のいずれかに形成されていることを特徴としている。液体パック容器が本体部と蓋部とからなっていることにより、蓋を外した状態の本体部の上方開口から液体パックを落としこみ収容することが容易であるとともに、液体パック容器の内部を洗浄することも容易となる。
【００１３】
また、第６の発明では、第３乃至第５の発明のいずれかの液体パック容器において、前記切開手段は、前記容器に前記吸い上げ管が装着された状態では、切開部材が鞘体から突出しないようにロックされる第１ロック手段を備えていることを特徴としている。前記容器に吸い上げ管が装着された状態では、切開部材が鞘体から突出しないようにロックされているので、誤って切開部材により吸い上げ管を破損させることがない。
【００１４】
更に、第７の発明では、第５又は第６の発明の液体パック容器において、前記切開手段は、前記蓋部が前記本体部から離間された状態では、切開部材が鞘体から突出しないようにロックされる第２ロック手段を備えていることを特徴としている。液体パック容器本体部から蓋部を取り外した状態で、切開部材が鞘体から突出することがないため、液体パックを取り替える際に取替えを行う人が幼児や老人であっても安全である。
【００１５】
更に、第８の発明では、第３乃至第７の発明のいずれかの液体パック容器において、前記切開部材は、先端鋭利な平刃であることを特徴としている。液体パックは、ラミネートフィルム袋、アルミ袋、透明ポリ袋等からなっているが、先端鋭利な平刃とすることにより、底面に容易に穴を切開することができる。また、切開部材を平刃とすることにより、鞘体の軸方向に沿って鞘体内に切開部材を摺動させ、または、切開部材の端部を側面が開放された鞘体に軸支し、鞘体側面から切開部材を回動させて出没させることが可能となる。
【００１６】
また、第９の発明は、液体注出器であって、第１乃至第８の発明のいずれかの液体パック容器と、液体パックの液体を吸い上げる吸い上げ管を備えた注出具とからなることを特徴としている。吸い上げ管を備えた注出具は、液体として吐出するものであっても、霧状として噴霧するものであってもよい。注出器の吐出口によって、前記液体パック容器を多用途に適用することができる。
【００１７】
また、第１０の発明は、第９の発明の液体注出器であって、前記吸い上げ管によって挿嵌される覆設部材を備え、該覆設部材は、下部に柔軟な発泡弾性体が貼着され、周囲壁が蛇腹状に形成されて略ドーム形状をなし、該液体パックの前記差込穴と吸い上げ管との隙間を覆うことを特徴としている。第１０の発明に係る注出器では、前記差込穴と吸い上げ管との隙間が封止されているので、液体パックの中に異物が混入することがない。本発明によれば、液体パックに人が手を触れないで差込口を切開することができるとともに、差込穴の周囲の隙間を塞ぐことができるので、殺菌用のアルコールを内容物とする液体パック等、清潔な状態が求められる液体パック容器に好適である。
【発明の効果】
【００１８】
本発明の液体パック容器は、液体パックを天地逆に保持し、液体パックの底面を上方に向け略平坦な状態とし、該底面を鋭利な切開部材を備えた切開手段により切開するので、ポンプ差込穴を切開することが容易である。また、切開手段は、切開時以外には切開部材が鞘体に収容されロック可能とされているので、安全かつ容易に操作できる。これにより、液体パック内の液体を別の容器に詰め替えることなく、液体パックに直接に注出具を取り付けて液体を注出することが可能になる。
【図面の簡単な説明】
【００１９】
【図１】スタンドパックを示した説明図である。
【図２】天地逆にしたスタンドパックを示した説明図である。
【図３】傾斜壁を示した説明図である。
【図４】液体注出器の構成を示した説明図である。(実施例１)
【図５】液体注出器の断面を示した説明図である。(実施例１)
【図６】液体注出器の断面を示した説明図である。(実施例２)
【図７】液体注出器の要部断面を示した説明図である。(実施例３)
【図８】液体注出器の要部断面を示した説明図である。(実施例４)
【図９】ロック手段の概要を示した説明図である。(実施例Ｌ)
【図１０】ロック手段の縦断面を示した説明図である。(実施例Ｌ)
【図１１】ロック手段の横断面を示した説明図である。(実施例Ｌ)
【図１２】覆設手段を示した説明図である。
【図１３】他の切開部材を示した説明図である。
【図１４】他の切開手段を示した説明図である。（実施例Ｃ）
【発明を実施するための最良の形態】
【００２０】
本発明は、シャンプーやリンス液、消毒液、液体調味料等の液体を詰め替えパックから別の注出容器に詰め替えることなく、液体パックから直接に注出可能とするものである。
（実施例１）
実施例１では、液体パック収容部の本体部に第１ロック手段として平刃が突出することを遮る平板を設け、蓋中央に対して蓋部を左右反転した場合に、切開手段と吸い上げ管の取付口とが同一の位置となるように、蓋部に前記切開手段と前記取付口を形成した実施例を、図１から図５を参照して説明する。図１は、本発明が適用される詰め替え用の液体パックの実施例を示している。図１Ａでは、上隅部の一方に、指で摘んで詰め替え袋の上隅部を捻じ切り、その部分を液体の注ぎ出し口とするタイプの液体パックを示している。図１Ｂでは、上隅部の一方に、外周に螺旋を形成した内筒と、それにかぶせられ内周に螺旋が形成されたキャップとからなる液体の注ぎ口を形成するキャップ付液体パックを示している。いずれも、前記のような様々な種類の液体の詰め替え袋として、一般的に採用されている形式である。
【００２１】
これらの詰め替え用パックの材質は、容易に破損しないよう、ラミネートフィルム袋、アルミ袋、透明ポリ袋等からなっている。前記詰め替えパックは、図１に示すように、前面フィルムと裏面フィルムの周囲を溶着し、底部が広がって安定して自立できるように平坦面が形成され、内容液体の詰め替えの際に、内部液体を詰め替え残しが無いように頂部が狭く形成され、スタンドパックと称されている。
【００２２】
図２では、前記スタンドパックを天地逆に保持した場合の、スタンドパックを斜視した図を示している。実施例１では、底面の中央からやや外側に偏った位置（図２Ｂ）に吸い上げ管の差込穴を切開する。スタンドパックは、底部をつまんで天地逆に保持すると袋がたるみ、図２に示すような底面の膨らみが得られなくなる。そこで、収容部において向かい合う二面の傾斜壁板で収容空間を形成し、その下方の距離を上方に比べ狭く形成し、略Ｖ字形状の収容空間とし、上部に底面フィルムを膨らんだ状態に、スタンドパックを天地逆に保持している。
【００２３】
液体パック容器の前記傾斜壁板を、図３を参照して具体的に説明する。液体パック容器の一方の壁面からは下方が他の壁面に接近するように斜め壁板１０が形成されている。他方の壁板の中間には、中間部から回動可能に斜め垂れ壁板１１が形成されている。斜め垂れ壁板の下方隅部には、切り欠きが形成されている。これにより、収容する液体パックが図１Ｂに示すキャップ付液体パックであっても、キャップ部分と斜め壁板が干渉せず、前記収容空間に液体パックを下方が狭まった状態に、天地逆に保持可能となる。斜め垂れ壁板１１の上方端部は軸支部１２が形成され、前記壁板に形成されたリング状の支承部１３に軸支されている。また、斜め垂れ壁板１１の裏面にはコイルバネ１４が配設され、前記斜め垂れ壁板１１を対面する斜め壁板１０に向かい押圧している。
【００２４】
また、垂れ壁板に支承された前記スタンドパックの底面の膨らみが弛まないように、垂れ壁を適度の強さで指圧できるよう、垂れ壁の背面には指圧用穴１５が形成されている。コイルバネの弾発力が強いと、底面に吸い上げ管の差込穴を切開した際に、底面から内部液体が溢れ出る可能性があるため、コイルバネの弾発力はスタンドパックの底面の膨らみが弛まない程度がよいが、スタンドパックの底面の材質がフィルム素材である場合には切開部材である刃が表面を滑り、又は底面が弛んだ場合には、前記差込穴が切開困難となることもあり得る。その場合には、指圧用穴１５から指を差し込み、斜め垂れ壁１１を押圧し、底面を適度に張りをもたせて切開することが可能となる。
【００２５】
ここで、図４を参照して、液体注出器の構成を説明する。図４は液体注出器の構成を分解斜視図により示している。液体注出器は、前記の斜め壁板１０、斜め垂れ壁板１１を備える本体部２０（２３）と、蓋部４０と、蓋部４０を本体部２０（２３）に固定する固定キャップ４３と、液体パックの内容液体を吸い上げる吸い上げ管５２を備えた注出具５０とから構成されている。
【００２６】
前記本体部２０の上部開口の略中央部には、円柱状の立設部３１が、液体パック容器の向かい合う壁体から架け渡された平板部３０に、円柱上面が上部開口面よりも上方となるように立設されている。また、前記立設部の外周には螺旋溝が形成されている。蓋部４０の略中央部には、前記立設部３１を挿通させる貫通穴４１が形成されている。前記立設部３１は、前記貫通穴に差し込まれ、本体部に蓋部が覆われた状態で、内周に螺旋溝を形成した固定キャップにより螺合され、蓋部と本体部が一体となる。また、前記貫通穴４１を中心にして、蓋部上方には、その一方に切開手段６０が、他方に円筒状の立設部４２が形成される。該円筒状の立設部４２の外周には螺旋溝が形成され、その筒体の穴には吸い上げ管５２が差し込まれ、内周に螺旋溝が形成された注出具固定キャップ５１が締め込まれ、注出具５０が蓋部４０に螺合される。
【００２７】
図５を参照して、更に具体的に説明する。図５は、前記構成からなる液体注出器の（図４Ａ−Ａ´位置）断面を説明する図であり、液体パックＰを収容させ、液体パックに切開された差込穴に、注出具５０の吸い上げ管を差し込んだ状態を示している。図４にて説明した事項については図４と同一の符号を附して説明を省略する。液体パック容器の内部には、図上前面及び背面に図３を参照して説明した傾斜壁及び傾斜垂れ壁が形成され、図上左側の側方開放壁２３が下方の軸支部２２にて本体部２０から軸支され、側面が開放されるように形成される。本体部２０（２３）の外周壁の上方には外方に突出した突条２１が上縁に沿って形成され、蓋部４０の立ち下がり壁の下方内周部に沿って形成されている突条４４と係合し、本体部と蓋部が一体となる。更に蓋部の略中央の貫通穴に貫通された立設部３１に上方から固定キャップ４３が絞め込まれ蓋部４０が本体部２０（２３）に固定される。
【００２８】
さて、切開手段６０は、平刃６１とコイルバネ６２を含んだ鞘体６３と、該鞘体の側方に形成された開放溝から外方に突出している指掛部６４ｂを備えた操作体６４とからなっている。前記鞘体は、蓋内部側の先方が液体パックＰの底面に向かい開放され、その開放部から前記平刃６１を上下に摺動させ出没させる。また、コイルバネ６２は、その上方は平刃６１の上方と操作体６４とに連結され、下方は鞘体に固定されている。次に、液体パックに形成された平板部３０について説明する。平板部３０は、上部の中央立設部に対し、側方開放壁２３とは反対側に水平に形成され、その上面は前記切開手段の鞘体の平刃突出口よりやや下方の高さとされている。
【００２９】
ここで、実施例１の取り扱い手順について説明する。まず、固定キャップ４３と、蓋部４０とを取り外し、前記側方開放壁２３を横倒させ、側面から天地逆にしたスタンドパックを斜め壁板１０，斜め垂れ壁板１１の間の液体パック収容空間に、斜め上方から滑り込ませ、側方開放壁２３を閉じる。次に、図５の蓋の取付状態と左右が反転するように、前記切開手段６０が側方開放壁２３側に位置するように、前記立設部３１に貫通穴４１を貫通させ、蓋部４０を本体部２０（２３）に保持させる。
【００３０】
次に、スタンドパックの底面に前記差込穴を切開する。切開操作は、前記操作体６４の側方に形成された指掛部６４ｂを下方に摺り動かし、平刃６１先端を鞘体から下方に突出させることにより行う。平刃６１先端は、スタンドパックの膨らんだ底面を切開することができる高さ６１ａ１まで突出し、スタンドパックの底面に吸い上げ管の差込穴を切開する。切開後は、平刃６１は、押縮された状態の前記コイルバネ６２の弾発力により、鞘体６３の中に復帰する。
【００３１】
この切開操作時に、スタンドパックの底面が弛んでいる場合には、前記指圧用穴１５から指を差し込み、斜め垂れ壁１１を押圧する。これによりスタンドパックの底面を膨らませ、確実に切開手段により前記吸い上げ管を差し込む差込穴を切開することができる。また、差込穴が開いた時には、指に掛かる圧力が変わるため差込穴が開いたことが判別できる。その際に、指圧を弛めれば、スタンドパック底面から内容液体が溢れ出すことを防ぐことができる。
【００３２】
スタンドパックに差込穴を形成した後には、蓋部４０を、図５に示した状態となるように左右を反転させた状態で本体部上方開口を覆い、固定キャップ４３にて蓋部４０と本体部２０を一体化させる。そうすると、切開手段６０が前記平板部３０の上方に位置することになるため、平刃６１を摺動させようとしても、平刃６１は、第１ロック手段として作用する平板部３０より下方には突出することはない。これにより、液体パック容器に注出具を取付けた後に、平刃が鞘体から本体部に突出し、スタンドパックを損傷させることはない。
【００３３】
（実施例２）
次に、実施例２では、前記第１ロック手段を備えた切開手段を蓋部に形成させた実施例を、図６を参照して説明する。図６は、実施例２の断面（図３Ｂ−Ｂ断面位置）を説明する図である。実施例２では、切開手段７０と、注出具５０の吸い上げ管５２を差し込む貫通穴４０ｈとを蓋部４０の略中央部に隣り合わせて形成している。下方の本体部２０の構成は、実施例１と同様であるので図６に実施例１と同一の符号を附して説明を省略する。実施例２の液体注出器の構成は、前記本体部２０と前記蓋部４０と注出具５０と、更に蓋部に注出具を螺合する立設部４２ａを囲繞する筒体７５とからなっている。該筒体７５は、蓋部に形成された蓋部貫通穴４０ａと、それに向かい合う平刃に形成された刃貫通穴７１ｈとを貫通する突出ピン７６（第１ロック手段）を備えている。
【００３４】
切開手段７０は、平刃７１とコイルバネ７２を含んだ鞘体と、該鞘体の図上前方に形成された開放溝から鞘体の外方に突出している指掛部を備えた操作体（図省略）とからなり、平刃７１が斜めに延伸可能となるように蓋部４０に、一体に形成されている。平刃は、その先端が天地逆に保持されたスタンドパック底面の略中央部に斜め上方から向かうように（図２Ａ位置参照）形成されている。コイルバネ７２は、その上方は平刃７１の上方と操作体に連結され、下方は鞘体に固定されている。さて、平刃の先端近傍には上下に貫通される刃貫通穴７１ｈが形成され、鞘体の上下面にも前記刃貫通穴７１ｈの上下に整合する位置に鞘体貫通穴４０ｂ，４０ｃが形成されている。
【００３５】
次に、前記筒体７５を説明する。筒体７５の内径は、蓋に形成されている立設部４２ａの外径よりやや大きく形成され、立設部４２ａを囲繞し装着される。筒体７５には下方に突出した突出ピン７６が形成されている。突出ピン７６が、蓋部貫通穴４０ａ、鞘体上部貫通穴４０ｂ、刃貫通穴７１ｈ、鞘体下部貫通穴４０ｃを順に上方から貫通するように、上方から立設部に沿って嵌めこまれる。これにより、操作体を動かすことができないようになり、平刃７１が鞘体７３内で摺動できないようにロックされる（第１ロック手段）。
【００３６】
ここで、実施例２の取扱い手順について簡単に説明する。注出具５０の注出具固定キャップ５１を本体部２０から取り外し、次に筒体７５を取外す。それにより、平刃７１はロックが解除され、蓋部に形成された鞘体７３内で斜め上下方向に摺動可能となる。次に蓋部４０を本体部２０から取り外し、本体部の上方開口から液体パックを天地逆に下方に滑り込ませ、本体部２０に保持させる。液体パック収容後は、本体部に蓋部４０をかぶせ、本体部の外周壁の上方に沿って形成され外方に突出している突条２１と、蓋部４０の立ち下がり壁の下方内周部に沿って形成されている突条４４とを係合させ、本体部と蓋部とが一体に組み立てられる。
【００３７】
次に、前記操作体の操作により平刃を斜め下方にスライドさせ、液体パックの底面の略中央部に抽出具５０の吸い上げ管５２の差込穴を切開する。切開後は、実施例１と同様にコイルバネの弾発力により、平刃７１先端は、鞘体７３内に引き戻される。更に、筒体に形成された突出ピン７６を、前記蓋部貫通穴４０ａ、前記鞘体上部貫通穴４０ｂ、前記刃貫通穴７１ｈ、前記鞘体下部貫通穴４０ｃを、順に貫通させるように、筒体７５を蓋部上部の立設体４１に装着させ、そして注出具５０を立設体４２ａに螺合させ、実施例２の液体注出器となす。
【００３８】
（実施例３）
実施例３では、本体部に切開手段を形成した実施例３を図３及び図７を参照して説明する。本体部の内部には実施例１と同様に傾斜壁が形成されている（図３参照）。図７は、実施例３を断面により説明する図である。実施例３は、実施例１とは、切開手段６０ａを本体部２０に形成した点が異なっている。実施例１と同一の構成の部分についての説明は省略する。
【００３９】
実施例３では、切開手段６０ａが本体部２０に形成されている。本体部の向かい合う壁体から平板部３０ａが架け渡され、該平板部から下方には切開手段６０ａが垂設され、前記平板部から上方には立設部３１が立設されている。該立設部は本体部の上部開口の中央位置に形成される。また、蓋部には前記立設部３１に対して切開手段６０ａが付設される位置と左右対称の位置に、吸い上げ管の差し込み筒体４２が立設されている。
【００４０】
切開手段６０ａは、平刃６１ａとコイルバネ６２ａとを含んだ鞘体６３ａと、前記実施例１と同様に形成された操作体６４ａとからなっている。前記平刃６１ａは鞘体６３ａ内で上下に摺動可能に保持されている。コイルバネ６２ａは、その上方は平刃６１ａの上方と操作体６４ａとに連結され、下方は鞘体に固定されている。
【００４１】
上記実施例３の取扱い手順について簡単に説明しておく。前記本体部内に天地逆に液体パックを斜め上方から滑り込ませ、蓋部を取外した状態で本体部壁面と切開手段との間の隙間から操作体６４ａを操作し、平刃６１ａの先端を鞘体６３ａから下方に突出させ、液体パック底面に吸い上げ管の差込穴を切開する。その後、平刃６１ａの先端部は、コイルバネ６２ａの弾発力により鞘体６３ａに引き戻される。そして、前記差込穴が切開された液体パックを、一旦取り出して左右反転させ、再び本体部に収容させ、蓋部４０をかぶせ、固定キャップ４３で蓋部と本体部を固定し、注出具５０を取り付け、実施例３の液体注出器とする。実施例３では、蓋をかぶせることにより切開手段を外部から操作することはできなくなり、蓋をかぶせることが第１ロック手段として機能する。
【００４２】
（実施例４）
次も、本体部側に切開手段を形成した実施例４を、図８を参照して説明する。図８は、実施例４を断面により説明する図である。実施例４は、実施例２とは、切開手段を本体部２０に形成した点が異なっている。実施例２と同一の構成の部分についての説明は省略する。
【００４３】
切開手段７０ａは、本体部に形成されている。切開手段７０ａは、平７１ａとコイルバネ７２ａを含んだ鞘体７３ａと、前記実施例２と同様に形成された操作体とからなっている。前記平刃７１ａは鞘体７３ａ内で、天地逆に保持された液体パック底面の略中央部に向かい（図２Ａ参照）、斜め上下に摺動可能に保持されている。コイルバネ７２ａは、その上方は平刃７１ａの上方と操作体とに連結され、下方は鞘体に固定されている。
【００４４】
上記実施例の取り扱い手順について簡単に説明しておく。蓋部を取り外した本体部内に上方からスタンドパックを天地逆に滑り込ませ、本体部に保持させる。次に、蓋部を取外した状態で切開手段の側面に形成されている操作体（図省略）を操作し、平刃７１ａの先端を斜め下方に突出させ液体パック底面に吸い上げ管の差込穴を切開する。その後、平刃７１ａの先端部はコイルバネ７２ａの弾発力により鞘体７３ａに引き戻される。
【００４５】
次に、蓋部４０をかぶせ、蓋部と本体部２０との周囲に形成された突条をかみ合わせて、蓋部４０を本体部２０に固定し、注出具５０を取り付け、実施例４の液体注出器とする。実施例４でも、実施例３と同様に、蓋をかぶせることにより切開手段を外部から操作することはできなくなり、蓋をかぶせることが第１ロック手段として機能する。
【００４６】
（ロック機構の実施例）
次に、ロック機構実施例（以下、実施例Ｌとする。）について、図９から図１１を参照して説明する。実施例Ｌは、第１ロック手段と第２ロック手段との機能を備えている。図９は、蓋部を本体部から取り外して、実施例Ｌを斜視した説明図である。図１０と図１１は、ステップ別の実施例Ｌの作用を説明する図であり、図１０は実施例Ｌの縦方向の略断面（図１１Ｂ−Ｂ´位置）を示し、図１１は実施例Ｌの横方向の略断面（図１０図Ａ−Ａ´位置）を説明する図である。
【００４７】
前記ロック機構実施例Ｌは、蓋部４０下方に付設され、斜め下方に平刃が延出するように形成された鞘体８３ａと一体に形成される（図９参照）。実施例Ｌは、上面と下面に長手方向にスリット穴が形成された枠体８０と、前記枠体８０の前記上面スリット穴８０Ｕに上方から差し込まれ、下辺が斜めに形成されている上方鍵板１０１と、前記本体部の前記下面スリット穴８０Ｄに下方から差し込まれ、上辺が斜めに形成されている下方鍵板９１とからなっている。
【００４８】
更に具体的に、図１１を参照して説明する。前記枠体８０内には、前方鍵部材８３と後方鍵部材８５を含み、前記各々の鍵部材が長手方向に摺動可能とされている鍵部材摺動部８０Ｍが形成されている。更に、前記摺動部には、前方鍵部材８３と後方鍵部材８５とを所定の間隔に保持するコイルバネ８６，８６と、後方鍵部材を所定の位置に保持するコイルバネ８７が含まれている。また、枠体前方部８２には、液体パックを切開する平刃が突出される突出部を塞ぐ塞ぎ片８４が出没可能となるように前方部貫通穴８２ｈが形成されている。
【００４９】
次に、鍵部材を説明する。前方鍵部材８３には前方に前記塞ぎ片８４が形成され、コイルバネ８６により後方鍵部材８５に引き寄せられて所定の距離となるように、摺動可能な状態で前記枠体８０内に保持される。また、前方鍵部材８３と後方鍵部材８５が近接した状態でも、前記上方鍵板が差し込まれる隙間８３ｈが形成されるように、相互の位置が保持されている。後方鍵部材８５には前記下方鍵板９１が差し込まれる穴８５ｈが、上下方向に貫通して形成され、後方鍵部材８５が枠体内の所定の位置に保持されるようにコイルバネ８７を介して枠体後方部８１に連結されている。
【００５０】
次に、鍵板について主として図１０を参照して説明する。下方鍵板９１は、本体部壁板に架け渡された平板９０の上部に形成され、その断面寸法は、前記後方鍵部材の穴８５ｈに適合する幅及び長さの寸法とされている。下方鍵板９１の上辺は、前記後方鍵部材の穴８５ｈに差し込まれる際に、穴８５ｈ側の角隅部と擦れ合い後方鍵部材を後退させるように、上辺が斜めに形成されている。上方鍵板１０１は、蓋部に貫通される軸１０２の下方に形成され、蓋部が本体部にかぶせられた状態で、その先端が前記隙間８３ｈに向かう。上方鍵部材の下辺は、上方鍵板が隙間８３ｈに差し込まれる際に、隙間８３ｈの角隅部と擦れ合い前方鍵部材を前進させるように斜めに形成されている。また、前記軸１０２の上方には押え板１０３が形成され、軸の周囲にはコイルバネが装着され、前記上方鍵板１０１を上方に押し上げ保持させている。
【００５１】
さて、ここで鍵板及び鍵部材のステップ別の作用について説明する。
蓋部が本体部から外され離間した状態にあり、注出具が取付けられていない状態をＡ図として、
蓋部が本体部にかぶせられ、注出具が取付けられていない状態をＢ図として、
蓋部が本体部にかぶせられ、かつ注出具が取付けられた状態をＣ図として、図１０及び図１１を参照して説明する。
【００５２】
まずＡ図について説明する。Ａ図の状態においては、前記上方鍵板及び下方鍵板がともに、枠体８０内に差し込まれていない。この状態が前方鍵部材及び後方鍵部材のコイルバネの弾発力による各々の鍵部材の復帰位置となる。前方鍵部材８３は後方鍵部材８５に近づいた状態で、後方鍵部材との間に所定幅の隙間８３ｈを形成している。後方鍵部材はコイルバネ８７の弾発力により押進され、枠体後方部８１から遠ざかるため、前方鍵部材の前方に形成された塞ぎ片８４が枠体の前方部貫通穴８２ｈから突出した状態となっている。これにより、蓋が外され、注出具が取付けられていない状態では、平刃先端が塞ぎ片８４に当たり鞘体から延伸不可能とされる（第２ロック手段）。
【００５３】
次にＢ図について説明する。Ｂ図の状態においては、前記下方鍵板９１が枠体８０内に差し込まれ、上方鍵板は前記隙間８３ｈに差し込まれていない。上辺が斜めに形成された下方鍵板が後方鍵部材の穴８５ｈに差し込まれることにより、下方鍵板９１の斜辺が穴８５ｈ側の角隅部と擦れ合い後方鍵部材８５を後退させる。これにより後方鍵部材はコイルバネ８７の反発力に抗して枠体後方壁側に後退する。前方鍵部材はコイルバネの張力により後方鍵部材との位置が維持され、後方鍵部材とともに後退する。これにより、前方鍵部材の前方に形成された前記塞ぎ片８４が枠体内に収容された状態となる。これにより、蓋がかぶせられ、注出具が取付けられていない状態で、平刃先端が塞ぎ片８４に当たることなく鞘体から延伸可能となる。
【００５４】
次にＣ図について説明する。Ｃ図の状態においては、前記下方鍵板９１が枠体８０内に差し込まれ、上方鍵板１０１も前記隙間８３ｈに差し込まれている。下方鍵板９１の作用についてはＢ図と同様であるので説明を省略する。下辺が斜めに形成された上方鍵板１０１が前方鍵部材と後方鍵部材との隙間８３ｈに差し込まれることにより、上方鍵板１０１の斜辺が前記隙間８３ｈ側の後方鍵部材の角隅部と擦れ合い前方鍵部材を前進させる。これにより前方鍵部材はコイルバネ８６，８６の引張力に抗して枠体前方壁側に前進し、前方部貫通穴８２ｈから前記塞ぎ片８４が突出された状態となる。これにより、蓋部が本体部にかぶせられ、且つ注出具が取付けられた状態では、平刃先端が塞ぎ片８４に当たり鞘体から延伸不可能とされる（第１ロック手段）。
【００５５】
上記実施例Ｌにより、浴室でシャンプーの途中でシャンプーがなくなった場合などにも、平刃が突出された状態となるのは、本体部に蓋部を取付けて吸い上げ管の差込穴を切開する際に限られるので、露出した肌を平刃により傷つける可能性はなく、安全に、空になったシャンプーパックを取り外し、新しいシャンプーパックを注出可能に取付けることができる。
【００５６】
（覆設部材の実施例）
次に、図１２を参照して覆設部材を説明する。覆設部材１２０は、周囲が蛇腹状に形成されて中央に吸い上げ管の差込穴１２１を有し、略ドーム形状をなしている蛇腹壁１２２と、その下方に貼り付けられる柔軟性に富むゴムスポンジ１２３とからなる。液体パック底面袋との間に吸い上げ管の下方を前記覆設部材１２０の中央部の差込穴１２１に上方から差し込み、差込穴が切開された液体パック底面に前記ゴムスポンジ部が当接する高さとなるように位置を調整し、吸い上げ管５２を液体パックＰの差込穴に差し込み、吸い上げ管５２と液体パックとの隙間を前記覆設部材１２０により覆う。
【００５７】
覆設部材１２０には下方に所定の幅のゴムスポンジ１２３が貼り付けられ、液体パックの隙間を上方から覆っているので、液体パックの内容液体が少なくなり液体パックが萎み、液体パック内の圧力が下がった場合には、それに伴いゴムスポンジが液体パック底面に吸い寄せられて、吸い上げ管と液体パックとの間に隙間が発生されにくい。また、ゴムスポンジは、柔軟性に富んでいるため、液体パックの底面袋が変形してもその形状に適合し、所定の幅で形成されているため変形された袋のいずれかの位置に当接し隙間を発生させにくい。更に、底面に吸い寄せられるように、ゴムスポンジは気体が侵入しないように独立気泡により構成されるゴムスポンジが好適である。覆設部材１２０の適用により、液体パック内に異物が進入しにくくなる。
【００５８】
また、上方部１２１が蛇腹形状に形成されているので、蛇腹壁の一方１２２ａを伸ばし、他方１２２ｂを縮めるように変形させ、前記差込穴に吸い上げ管を差し込めば、液体パックの底面中心を外れた位置に吸い上げ管の差込穴を形成した場合であっても液体パックに覆設部材１２０を密着させることができる。覆設部材１２０の蛇腹壁は天然ゴム系、ＥＰＤＭ系、クロロプレン系等の柔軟な部材であることが好適であり、またゴムスポンジも同一の部材であることが好適である。
【００５９】
（他の切開部材の実施例）
次に、図１３を参照して他の切開部材の実施例を説明する。上記の実施例では、切開部材は、平刃にて説明したが、切開部材は平刃に限定されるものではなく、例えば図１３Ａに示したように、先端が鋭利な薄刃を断面が十文字となるように形成された切開部材１３０でもよく、図１３Ｂに示したように、先端が鋭利な針状となるように形成された切開部材１４０でもよい。また、これら切開部材の周囲には、これらの切開部材を包み先端が開放されて、切開部材を摺動可能とする形状の筒体の鞘体が形成されればよい。
【００６０】
（他の切開手段の実施例）
次に、図１４を参照して第２切開手段の実施例Ｃを説明する。
上記の実施例では、切開部材を鞘体から直線状に出没させたが、実施例Ｃは、平刃の端部を鞘体１５５の端部に軸支し、回動可能に平刃１５６を鞘体内に収容している。実施例Ｃは、片側面にラックギア１５２を形成した軸体を含む操作体１５０と、前記軸の周囲に平歯を形成した平刃保持体１５４と、前記ラックギア１５２と前記平歯とに噛み合うように、それらの間に配設された平歯車１５３と、前記軸体の軸に装着され、操作体の位置を所定の位置に保持するコイルバネ１５１とからなっている。
【００６１】
前記操作体１５０を下方に押し下げることにより、軸体とともにラックギア１５２が下方に進み、ラックギアと噛み合っている前記平歯車１５３が回転し、更に該平歯車１５３と噛み合わされている平刃保持体１５４に形成されている平歯を回転させる。これにより、鞘体内に収容されて軸支されていた平刃が鞘体から回動して出現し、液体パックＰ底面に、前記吸い上げ管の差込穴を切開させる。差込穴を形成させた後は、コイルバネの弾発力により操作体の位置が復元し、それにともない平刃も鞘体内に引き戻される。
【００６２】
（その他の実施例）
・液体注出容器に本体部と蓋部を一体化し、側方が開放されるように形成し、側方からスタンドパックを滑り込ませるようにしてもよい。
・切開手段は本体部及び蓋部とは分離し、中蓋に形成し又は本体と蓋部との間に保持されるように、液体注出容器に含まれていてもよい。
・上記実施例では、一方の傾斜壁の上辺を軸支しているが、下辺を軸支することとしてもよい。下辺を軸支することにより、傾斜壁の傾斜角度の可変角度が大きくなり、液体パックの内容液体が少なくなっても、液体パックの底面の張りを保つことができる。
・上記実施例では、向かい合う２面の壁を傾斜壁としているが、一方の壁を傾斜壁としてもよい。
・液体パック容器に収容される液体パックの数は限定されず、例えばシャンプーとリンスをセットに収容し、該液体パック容器に１つの切開手段を形成するようにしてもよい。
・上記実施例２では、筒体７５に刃貫通穴７１ｈを貫通するピンを形成したが、筒体７５の側方に切開手段を覆う覆設体を形成し、操作体７０を操作できないようにロックさせてもよい。
【００６３】
・上記の実施例では液体パック容器と蓋部とを容易に離脱しないように、固定キャップにて固定しているが周辺の突条の係合が確実であれば固定キャップは不要である。また、上記の実施例では本体及び蓋に突条を形成しているが、突条はいずれかに形成し他方は凹条としてもよく、また公知の係合手段にて、液体パック容器と蓋部とを固定してもよい。
・また、本発明が適用される液体パックはスタンドパック式が好適であるが、上面又は底面が略平坦となる形式の液体パックにも適用できる。
・以上、本発明を詳述してきたが、具体的な構成は上記の各実施形態に限られるものではなく、本発明の要旨を逸脱しない範囲の設計変更等があっても本発明に含まれる。例えば、収容体の材質、弾性体の種類、形状には限定がなく、傾斜壁の軸支位置を変更し、傾斜壁を湾曲させるなどにより傾斜角度を変更させ、傾斜壁の下方の切り欠き位置を変更し中央に切り欠きを設けることもでき、またロック手段も切開部材を突出させない作用をする別の切開手段に設計変更する等は、当然のごとく本発明に含まれるものである。
【産業上の利用可能性】
【００６４】
いずれかの面が略平坦に形成されている液体パックの注出容器に適用できる。
【符号の説明】
【００６５】
Ｐ…スタンドパック、１０…斜め壁板、１１…斜め垂れ壁板、１２…軸支部、
１３…支承部、１４…コイルバネ、１５…指圧用穴、２０…本体部、
２１…本体突条、２２…軸支部、２３…側方開放壁、３０，３０ａ…平板部、
３１…立設部、４０…蓋部、４０ａ…蓋部穴、４０ｂ…鞘体上部貫通穴，
４０ｃ…鞘体下部貫通穴、４１…貫通穴、４２，４２ａ…立設部、４３…固定キャップ、
４４…蓋部突条、５０…注出具、５１…注出具固定キャップ、５２…吸い上げ管、
６０，６０ａ…切開手段、６１，６１ａ…平刃、６１ａ１，６１ａ２…平刃突出位置、
６２，６２ａ…コイルバネ、６３，６３ａ…鞘体、６４，６４ａ…操作体、
６４ｂ…指掛部、７０，７０ａ…切開手段、７１，７１ａ…平刃、７１ｈ…刃貫通穴、
７２，７２ａ…コイルバネ、７３，７３ａ…鞘体、７５…筒体、７６…突出ピン、
８０…枠体、８０Ｕ…上面スリット穴、８０Ｄ…下面スリット穴、８１…枠体後方部、
８２…枠体前方部、８２ｈ…前方部貫通穴、８３…前方鍵部材、８３ａ…鞘体、
８３ｈ…隙間、８４…塞ぎ片、８５…後方鍵部材、８５ｈ…後方鍵部材の穴、
８６，８７…コイルバネ、９０…平板、９１…下方鍵板、１００…操作体、
１０１…上方鍵板、１０２…軸、１２０…覆設部材、１２１…差込穴、
１２２…蛇腹壁、１２３…ゴムスポンジ、１２２ａ…伸びた蛇腹壁、
１２２ｂ…縮んだ蛇腹壁、１３０，１４０…切開部材、１５０…操作体、
１５１…コイルバネ、１５２…ラックギア、１５３…平歯車、１５４…平刃保持体、
１５５…鞘体、１５６…平刃
【図１】
2010275003.tif 000003
【図２】
2010275003.tif 000004
【図３】
2010275003.tif 000005
【図４】
2010275003.tif 000006
【図５】
2010275003.tif 000007
【図６】
2010275003.tif 000008
【図７】
2010275003.tif 000009
【図８】
2010275003.tif 000010
【図９】
2010275003.tif 000011
【図１０】
2010275003.tif 000012
【図１１】
2010275003.tif 000013
【図１２】
2010275003.tif 000014
【図１３】
2010275003.tif 000015
【図１４】
2010275003.tif 000016
【手続補正書】
【提出日】平成21年7月6日(2009.7.6)
【手続補正１】
【補正対象書類名】明細書
【補正対象項目名】０００７
【補正方法】変更
【補正の内容】
【０００７】
本発明の第１の発明は、詰め替え用液体パックを収容し、液体パックの液体を注出する注出具を装着させる液体パック容器であって、前記容器をなす筐体の液体パック収容部において、前記液体パックが底面を略平坦な状態で天地逆に保持されるように、前記筐体が備える向かい合う壁の少なくともいずれかが傾斜壁とされ、前記収容部の下方の幅が狭く形成されているとともに、前記容器は、前記注出具下方に付設された吸い上げ管を差し込む差込穴を前記液体パック底面に切開する切開手段を備え、該切開手段が、鞘体に出没可能に収納されている先端鋭利な平刃である切開部材を含んでいることを特徴としている。
【手続補正２】
【補正対象書類名】明細書
【補正対象項目名】０００８
【補正方法】変更
【補正の内容】
【０００８】
収容空間の下方の幅が狭くなるように、向かい合う壁を傾斜させ、収容空間の断面形状を略Ｖ字形状としたので、液体パックが天地逆に安定して保持される。これにより、上方に位置される液体パックの底面が萎むことなく、切開手段により前記吸込み管の差込口を切開することが容易となり、下方に位置される液体パックの先端部は狭まった状態に維持されるため、パック前記先端部に溜まっている液体を前記吸い上げ管により残すことなく吸い上げることができる。また、液体パック容器には切開手段が含まれているので、液体パックに前記差込穴を開けるためハサミやカッターを別に準備する必要がない。前記切開手段は、切開部材が鞘体に出没可能に収納されているので、切開操作をする時以外は切開部材を露出させることなく使用者の安全が保たれる。また、液体パックは、ラミネートフィルム袋、アルミ袋、透明ポリ袋等からなっているが、先端鋭利な平刃とすることにより、底面に容易に穴を切開することができる。切開部材を平刃とすることにより、鞘体の軸方向に沿って鞘体内に切開部材を摺動させ、または、切開部材の端部を側面が開放された鞘体に軸支し、鞘体側面から切開部材を回動させて出没させることが可能となる。
【手続補正３】
【補正対象書類名】明細書
【補正対象項目名】０００９
【補正方法】変更
【補正の内容】
【０００９】
更に、第２の発明では、第１の発明の液体パック容器において、前記傾斜壁のいずれかの傾斜壁の上辺又は該傾斜壁の下辺の少なくとも一方が、前記筐体に形成されている固定軸に回動可能に軸支され、前記向かい合う傾斜壁がなす傾斜角度が可変とされていることを特徴としている。向かい合う傾斜壁がなす傾斜角度が可変とされていることにより、収容量が異なる液体パックに適用できる。また、前記差込穴を切開する際に、傾斜壁の角度を変え液体パックを押圧することにより、液体パックの底面に適度な張りを持たせ、切開手段の切開部材が底面を滑ることなく、底面をなすフィルムに差込穴を切開することが容易となる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、第３の発明では、第１又は第２の発明の液体パック容器において、前記切開手段は、切開部材を鞘体内に引き戻す弾性部材を備えた引き戻し手段を含み、前記切開部材により液体パック底面に差込穴が切開された後は、前記引き戻し手段が前記弾性部材の弾発力により前記切開部材を前記鞘体内に引き戻すことを特徴としている。液体パックの差し込み穴を形成後は、液体パックの差込穴の位置から切開部材が退避し、鞘体内に引き戻されるため、液体パックに吸い上げ管を差し込む際に、切開部材が邪魔にならず、吸い上げ管をスムーズに差し込むことが可能である。
【手続補正６】
【補正対象書類名】明細書
【補正対象項目名】００１２
【補正方法】変更
【補正の内容】
【００１２】
更に、第４の発明では、第１乃至第３の発明のいずれかの液体パック容器において、前記容器は、上部が開放された本体部と、該本体部上方を覆う蓋部とからなり、前記切開手段が本体部又は蓋部のいずれかに形成されていることを特徴としている。液体パック容器が本体部と蓋部とからなっていることにより、蓋を外した状態の本体部の上方開口から液体パックを落としこみ収容することが容易であるとともに、液体パック容器の内部を洗浄することも容易となる。
【手続補正７】
【補正対象書類名】明細書
【補正対象項目名】００１３
【補正方法】変更
【補正の内容】
【００１３】
また、第５の発明では、第１乃至第４の発明のいずれかの液体パック容器において、前記切開手段は、前記容器に前記吸い上げ管が装着された状態では、切開部材が鞘体から突出しないようにロックされる第１ロック手段を備えていることを特徴としている。前記容器に吸い上げ管が装着された状態では、切開部材が鞘体から突出しないようにロックされているので、誤って切開部材により吸い上げ管を破損させることがない。
【手続補正８】
【補正対象書類名】明細書
【補正対象項目名】００１４
【補正方法】変更
【補正の内容】
【００１４】
更に、第６の発明では、第４又は第５の発明の液体パック容器において、前記切開手段は、前記蓋部が前記本体部から離間された状態では、切開部材が鞘体から突出しないようにロックされる第２ロック手段を備えていることを特徴としている。液体パック容器本体部から蓋部を取り外した状態で、切開部材が鞘体から突出することがないため、液体パックを取り替える際に取替えを行う人が幼児や老人であっても安全である。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
また、第７の発明は、液体注出器であって、第１乃至第６の発明のいずれかの液体パック容器と、液体パックの液体を吸い上げる吸い上げ管を備えた注出具とからなることを特徴としている。吸い上げ管を備えた注出具は、液体として吐出するものであっても、霧状として噴霧するものであってもよい。注出器の吐出口によって、前記液体パック容器を多用途に適用することができる。
【手続補正１１】
【補正対象書類名】明細書
【補正対象項目名】００１７
【補正方法】変更
【補正の内容】
【００１７】
また、第８の発明は、第７の発明の液体注出器であって、前記吸い上げ管によって挿嵌される覆設部材を備え、該覆設部材は、下部に柔軟な発泡弾性体が貼着され、周囲壁が蛇腹状に形成されて略ドーム形状をなし、該液体パックの前記差込穴と吸い上げ管との隙間を覆うことを特徴としている。第８の発明に係る注出器では、前記差込穴と吸い上げ管との隙間が封止されているので、液体パックの中に異物が混入することがない。本発明によれば、液体パックに人が手を触れないで差込口を切開することができるとともに、差込穴の周囲の隙間を塞ぐことができるので、殺菌用のアルコールを内容物とする液体パック等、清潔な状態が求められる液体パック容器に好適である。
【手続補正１２】
【補正対象書類名】特許請求の範囲
【補正対象項目名】全文
【補正方法】変更
【補正の内容】
【特許請求の範囲】
【請求項１】
詰め替え用液体パックを収容し、液体パックの液体を注出する注出具を装着させる液体パック容器であって、
前記容器をなす筐体の液体パック収容部において、前記液体パックが底面を略平坦な状態で天地逆に保持されるように、前記筐体が備える向かい合う壁の少なくともいずれかが傾斜壁とされ、前記収容部の下方の幅が狭く形成されているとともに、
前記容器は、前記注出具下方に付設された吸い上げ管を差し込む差込穴を前記液体パック底面に切開する切開手段を備え、
該切開手段が、鞘体に出没可能に収納されている先端鋭利な平刃である切開部材を含んでいる、
ことを特徴とする液体パック容器。
【請求項２】
前記傾斜壁のいずれかの傾斜壁の上辺又は該傾斜壁の下辺の少なくとも一方が、前記筐体に形成されている固定軸に回動可能に軸支され、前記向かい合う傾斜壁がなす傾斜角度が可変とされている、
ことを特徴とする請求項１に記載の液体パック容器。
【請求項３】
前記切開手段は、切開部材を鞘体内に引き戻す弾性部材を備えた引き戻し手段を含み、
前記切開部材により液体パック底面に差込穴が切開された後は、前記引き戻し手段が前記弾性部材の弾発力により前記切開部材を前記鞘体内に引き戻す、
ことを特徴とする請求項１又は請求項２に記載の液体パック容器。
【請求項４】
前記容器は、上部が開放された本体部と、該本体部上方を覆う蓋部とからなり、
前記切開手段が本体部又は蓋部のいずれかに形成されている、
ことを特徴とする請求項1乃至請求項３のいずれか1項に記載の液体パック容器。
【請求項５】
前記切開手段は、
前記容器に前記吸い上げ管が装着された状態では、切開部材が鞘体から突出しないようにロックされる第１ロック手段を備えている、
ことを特徴とする請求項１乃至請求項４のいずれか１項に記載の液体パック容器。
【請求項６】
前記切開手段は、
前記蓋部が前記本体部から離間された状態では、切開部材が鞘体から突出しないようにロックされる第２ロック手段を備えている、
ことを特徴とする請求項４又は請求項５に記載の液体パック容器。
【請求項７】
液体注出器であって、
請求項１乃至請求項６のいずれか1項に記載の前記液体パック容器と、液体パックの液体を吸い上げる吸い上げ管を備えた注出具とからなる、
ことを特徴とする液体注出器。
【請求項８】
前記液体注出器であって、
前記吸い上げ管によって挿嵌される覆設部材を備え、
該覆設部材は、下部に柔軟な発泡弾性体が貼着され、周囲壁が蛇腹状に形成されて略ドーム形状をなし、該液体パックの前記差込穴と吸い上げ管との隙間を覆う、
ことを特徴とする請求項７に記載の液体注出器。
【手続補正書】
【提出日】平成21年8月24日(2009.8.24)
【手続補正１】
【補正対象書類名】明細書
【補正対象項目名】０００７
【補正方法】変更
【補正の内容】
【０００７】
本発明の第１の発明は、詰め替え用液体パックを収容し、液体パックの液体を注出する注出具を装着させる液体パック容器であって、前記液体パックがスタンドパックであり、前記容器をなす筐体の液体パック収容部において、前記スタンドパックが底面を略平坦な状態で天地逆に保持されるように、前記筐体が備える向かい合う壁の少なくともいずれかが傾斜壁とされ、前記収容部の下方の幅が狭く形成されているとともに、前記容器は、前記注出具下方に付設された吸い上げ管を差し込む差込穴を前記スタンドパック底面に切開する切開手段を備え、該切開手段は、前記容器の上部に形成されており、先端鋭利な平刃を含んだ鞘体と操作体とからなり、該操作体が上下方向に動かされることにより、前記平刃が前記鞘体から上下方向に出没可能とされていることを特徴としている。
【手続補正２】
【補正対象書類名】明細書
【補正対象項目名】０００８
【補正方法】変更
【補正の内容】
【０００８】
収容空間の下方の幅が狭くなるように、向かい合う壁を傾斜させ、収容空間の断面形状を略Ｖ字形状としたので、スタンドパックが天地逆に安定して保持される。これにより、上方に位置されるスタンドパックの底面が萎むことなく、切開手段により前記吸込み管の差込口を切開することが容易となり、下方に位置されるスタンドパックの先端部は狭まった状態に維持されるため、パック前記先端部に溜まっている液体を前記吸い上げ管により残すことなく吸い上げることができる。また、液体パック容器には切開手段が含まれているので、スタンドパックに前記差込穴を開けるためハサミやカッターを別に準備する必要がない。前記切開手段は、平刃が鞘体に出没可能に収納されているので、切開操作をする時以外は平刃を露出させることなく使用者の安全が保たれる。また、液体パックは、ラミネートフィルム袋、アルミ袋、透明ポリ袋等からなっているが、先端鋭利な平刃とすることにより、底面に容易に穴を切開することができる。鞘体の軸方向に沿って鞘体内に平刃を摺動させ、または、平刃の端部を側面が開放された鞘体に軸支し、鞘体側面から平刃を回動させて出没させることが可能となる。
【手続補正３】
【補正対象書類名】明細書
【補正対象項目名】０００９
【補正方法】変更
【補正の内容】
【０００９】
更に、第２の発明では、第１の発明の液体パック容器において、前記向かい合う壁の傾斜壁とされている壁の上辺又は下辺が、前記筐体に形成されている固定軸に回動可能に軸支され、前記向かい合う壁がなす傾斜角度が可変とされていることを特徴としている。向かい合う壁がなす傾斜角度が可変とされていることにより、収容量が異なるスタンドパックに適用できる。また、前記差込穴を切開する際に、傾斜壁の角度を変えスタンドパックを押圧することにより、スタンドパックの底面に適度な張りを持たせ、切開手段の平刃が底面を滑ることなく、底面をなすフィルムに差込穴を切開することが容易となる。
【手続補正４】
【補正対象書類名】明細書
【補正対象項目名】００１１
【補正方法】変更
【補正の内容】
【００１１】
また、第３の発明では、第１又は第２の発明の液体パック容器において、前記切開手段は、前記平刃を鞘体内に引き戻す弾性部材を備えた引き戻し手段を含み、前記平刃により前記スタンドパック底面に差込穴が切開された後は、前記引き戻し手段が前記弾性部材の弾発力により前記平刃を前記鞘体内に引き戻すことを特徴としている。スタンドパックの差し込み穴を形成後は、スタンドパックの差込穴の位置から平刃が退避し、鞘体内に引き戻されるため、スタンドパックに吸い上げ管を差し込む際に、平刃が邪魔にならず、吸い上げ管をスムーズに差し込むことが可能である。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、第４の発明では、第１乃至第３の発明のいずれかの液体パック容器において、前記切開手段は、前記容器に前記吸い上げ管が装着された状態では、前記平刃が前記鞘体から突出しないようにロックされる第１ロック手段を備えていることを特徴としている。前記容器に吸い上げ管が装着された状態では、平刃が鞘体から突出しないようにロックされているので、誤って平刃により吸い上げ管を破損させることがない。
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】変更
【補正の内容】
【００１６】
また、第５の発明は、液体注出器であって、第１乃至第４の発明のいずれかの液体パック容器と、スタンドパックの液体を吸い上げる吸い上げ管を備えた注出具とからなることを特徴としている。吸い上げ管を備えた注出具は、液体として吐出するものであっても、霧状として噴霧するものであってもよい。注出器の吐出口によって、前記液体パック容器を多用途に適用することができる。
【手続補正９】
【補正対象書類名】明細書
【補正対象項目名】００１７
【補正方法】変更
【補正の内容】
【００１７】
また、第６の発明は、第５の発明の液体注出器であって、前記吸い上げ管によって挿嵌される覆設部材を備え、該覆設部材は、下部に柔軟な発泡弾性体が貼着され、周囲壁が蛇腹状に形成されて略ドーム形状をなし、前記スタンドパックの前記差込穴と前記吸い上げ管との隙間を覆うことを特徴としている。第６の発明に係る注出器では、前記差込穴と吸い上げ管との隙間が封止されているので、液体パックの中に異物が混入することがない。本発明によれば、液体パックに人が手を触れないで差込口を切開することができるとともに、差込穴の周囲の隙間を塞ぐことができるので、殺菌用のアルコールを内容物とする液体パック等、清潔な状態が求められる液体パック容器に好適である。
【手続補正１０】
【補正対象書類名】特許請求の範囲
【補正対象項目名】全文
【補正方法】変更
【補正の内容】
【特許請求の範囲】
【請求項１】
詰め替え用液体パックを収容し、液体パックの液体を注出する注出具を装着させる液体パック容器であって、
前記液体パックがスタンドパックであり、
前記容器をなす筐体の液体パック収容部において、前記スタンドパックが底面を略平坦な状態で天地逆に保持されるように、前記筐体が備える向かい合う壁の少なくともいずれかが傾斜壁とされ、前記収容部の下方の幅が狭く形成されているとともに、
前記容器は、前記注出具下方に付設された吸い上げ管を差し込む差込穴を前記スタンドパック底面に切開する切開手段を備え、
該切開手段は、前記容器の上部に形成されており、先端鋭利な平刃を含んだ鞘体と操作体とからなり、該操作体が上下方向に動かされることにより、前記平刃が前記鞘体から上下方向に出没可能とされている、
ことを特徴とする液体パック容器。
【請求項２】
前記向かい合う壁の傾斜壁とされている壁の上辺又は下辺が、前記筐体に形成されている固定軸に回動可能に軸支され、前記向かい合う壁がなす傾斜角度が可変とされている、
ことを特徴とする請求項１に記載の液体パック容器。
【請求項３】
前記切開手段は、前記平刃を前記鞘体内に引き戻す弾性部材を備えた引き戻し手段を含み、
前記平刃により前記スタンドパック底面に前記差込穴が切開された後は、前記引き戻し手段が前記弾性部材の弾発力により前記平刃を前記鞘体内に引き戻す、
ことを特徴とする請求項１又は請求項２に記載の液体パック容器。
【請求項４】
前記切開手段は、
前記容器に前記吸い上げ管が装着された状態では、前記平刃が前記鞘体から突出しないようにロックされる第１ロック手段を備えている、
ことを特徴とする請求項１乃至請求項３のいずれか１項に記載の液体パック容器。
【請求項５】
液体注出器であって、
請求項１乃至請求項４のいずれか1項に記載の前記液体パック容器と、前記スタンドパックの液体を吸い上げる吸い上げ管を備えた注出具とからなる、
ことを特徴とする液体注出器。
【請求項６】
前記液体注出器であって、
前記吸い上げ管によって挿嵌される覆設部材を備え、
該覆設部材は、下部に柔軟な発泡弾性体が貼着され、周囲壁が蛇腹状に形成されて略ドーム形状をなし、前記スタンドパックの前記差込穴と前記吸い上げ管との隙間を覆う、
ことを特徴とする請求項５に記載の液体注出器。